(57)【特許請求の範囲】
【請求項１】
複数のＰＣ板を既設構造物の表面に対して所定の間隔を隔てて取付けるＰＣ板の取付方法において、当該ＰＣ板を先に取付けられたＰＣ板に隣接させて仮組立してから、上記ＰＣ板に設けられた固定用孔に合わせて、上記既設構造物に、ＰＣ板と既設構造物とを連結する連結用部材を固定するためのアンカー孔を削孔し、このアンカー孔に上記連結用部材を挿入・固定した後に、上記連結用部材の、ＰＣ板と既設構造物の表面との間にコイルバネを介在させ、締結部材にて、上記連結用部材を上記固定用孔に係止するとともに、上記締結部材にて締付け調整を行って上記コイルバネを伸縮させ、上記ＰＣ板の外表面の位置を調整するようにしたことを特徴とするＰＣ板の取付方法。
【請求項２】
上記固定用孔に内ネジを装着するとともに、外周に上記内ネジに螺合する外ネジが形成されたパイプ材を上記固定用孔に装着して上記コイルバネに当接させるようにしたことを特徴とする請求項１に記載のＰＣ板の取付方法。
【請求項３】
上記連結用部材を固定用孔から所定長さ突出させて、上記連結用部材のＰＣ板外表面側に支保材を取付け可能としたことを特徴とする請求項１または請求項２に記載のＰＣ板の取付方法。
【発明の詳細な説明】
【０００１】
【発明の属する技術分野】
本発明は、複数のＰＣ板を、既設構造物の表面に対して所定の間隔を隔てて取付ける方法に関するもので、特に、各ＰＣ板の外表面が平坦面状になるように取付ける方法に関する。
【０００２】
【従来の技術】
従来、コンクリート構造物の補修工法においては、薄肉のＰＣ板から成る複数の型枠を、セパレータ、スペーサ、ボルト等の連結用部材を用いて、既設のコンクリート面に対して一定の間隔を隔てて、その外側表面が平坦になるように調整して取付けた後、外側からホームタイやナットなどで固定し、上記型枠と上記既設コンクリートとの間に生コンクリートなどを裏込めして固定する方法が取られている。
複数のＰＣ板を平坦面状になるように取付ける方法としては、例えば、図７に示すように、まず、既設コンクリート面６１の所定の位置にアンカーボルト埋込孔６２を削孔し、この埋込孔６２にアンカーボルト６３を埋込んで固定した後、上記アンカーボルト６３にコイルバネ６４を装着する。次に、上記アンカーボルト６３を、次に取付けようとするＰＣ板６０Ｂの固定用孔６５に挿通するようにして上記ＰＣ６０Ｂ板に取付ける。この状態では、コイルバネ６４にはＰＣ板６０Ｂの重量しか作用していないため、ＰＣ板６０Ｂの外側表面の位置は既に取付けられたＰＣ板６０Ａの外側表面の位置よりも若干突出している。そこで締結部材であるナット６６を上記アンカーボルト６３に螺入して締付けることによりＰＣ板６０Ｂを下降させ、ＰＣ板６０Ａ，６０Ｂの外側表面の位置が平坦になるように調整する。なお、ナット６６を締付け過ぎてＰＣ板６０Ｂの外側表面の位置が下がりすぎた場合には、上記ナット６６を弛めることでコイルバネ６４の作用により上記ＰＣ板６０Ｂを上昇させて調整することができる。
【０００３】
【発明が解決しようとする課題】
しかしながら、上記従来の方法では、アンカーボルト６３を先に取付けるようにしているため、アンカーボルト６３の位置を相当精度よく決めないとＰＣ板６０Ａ，６０Ｂ間に隙間ができたり、ＰＣ板６０Ｂが取付けられなくなったりする場合がある。そこで、ＰＣ板の固定用孔６５を大き目に空けてＰＣ板６０Ｂの取付位置を調整することも考えられるが、アンカーボルト６３の取付位置がズレた場合には、ＰＣ板６０Ｂの位置調整が必要なだけでなく、固定用孔６５の端部でアンカーボルト６３を固定することになるので、ＰＣ板６０Ｂの取付強度にバラツキが生じ、ＰＣ板の内側空間にコンクリートなどを裏込めする時に、打設圧力によりＰＣ板外側表面の平坦性が保たれなくなる恐れがあった。
【０００４】
本発明は、従来の問題点に鑑みてなされたもので、複数のＰＣ板を既設構造物表面に取付ける際に、確実に平坦面上になるように取付けることのできる方法を提供することを目的とする。
【０００５】
【課題を解決するための手段】
本発明の請求項１に記載のＰＣ板の取付方法は、複数のＰＣ板を既設構造物の表面に対して所定の間隔を隔てて取付ける際に、当該ＰＣ板を先に取付けられたＰＣ板に隣接させて仮組立してから、上記ＰＣ板に設けられた固定用孔に合わせて、上記既設構造物に、ＰＣ板と既設構造物とを連結する連結用部材を固定するためのアンカー孔を削孔し、このアンカー孔に上記連結用部材を挿入・固定した後に、上記連結用部材の、ＰＣ板と既設構造物の表面との間にコイルバネを介在させ、締結部材にて、上記連結用部材を上記固定用孔に係止するとともに、上記締結部材にて締付け調整を行って上記コイルバネを伸縮させ、上記ＰＣ板の外表面の位置を調整するようにしたことを特徴とするもので、これにより、連結用部材とＰＣ板の固定用孔との間の位置ズレをなくすことができるとともに、複数のＰＣ板を確実に平坦面状になるように取付けることができる。
【０００６】
請求項２に記載のＰＣ板の取付方法は、上記コイルバネを安定に係止するため、上記固定用孔に内ネジを装着するとともに、外周に上記内ネジに螺合する外ネジが形成されたパイプ材を上記固定用孔に装着してコイルバネに当接させるようにしたものである。
【０００７】
また、請求項３に記載のＰＣ板の取付方法は、上記連結用部材を固定用孔から所定長さ突出させて、上記連結用部材のＰＣ板外表面側に支保材を取付け可能としたことを特徴とするもので、これにより、ホームタイ等の支保材を確実に、かつ、容易にセッティングすることが可能となる。
【０００８】
【発明の実施の形態】
以下、本発明の実施の形態について、図面に基づき説明する。
図１〜図４は、本発明によるＰＣ板の取付方法を示す図で、本例では、まず、図１（ａ），（ｂ）に示すように、既設構造物であるコンクリート面１０に既に取付けられたＰＣ板２１，２２の側面２１Ｓ，２２Ｓに、次に取付けようとするＰＣ板２３の側面２３Ｓを合わせるようにして仮止めする。具体的には、ＰＣ板２３の側面２３Ｓを貫通する２つの連結ボルト挿入孔２３Ｋ，２３Ｋのそれぞれに連結ボルト３１Ｍ，３２Ｍを挿入し、上記ＰＣ板２１，２２の側面２１Ｓ，２２Ｓに埋設された接合用のナット２１Ｎ，２２Ｎに上記連結ボルト３１Ｍ，３２Ｍを螺合させるなどして連結することにより、上記ＰＣ板２３とＰＣ板２１，２２との隙間がなく、かつ、ＰＣ板２３の外側表面が、既に取付けられた上記ＰＣ板２１，２２や他のＰＣ板２０，２０，‥‥の外側表面とほぼ同じ位置になるように、すなわち、ＰＣ板２０，２１，２２，２３，‥‥の外側表面がほぼ平坦面状になるようにＰＣ板２３を仮止めすることができる。
【０００９】
次に、図２（ａ）に示すように、上記ＰＣ板２３の固定用孔２３Ｈの位置に合わせて、コンクリート面１０に後述する連結用部材（セパレータ４１）を挿入・固定するためのアンカー孔１０Ｈを削孔した後、図２（ｂ）に示すように、このアンカー孔１０Ｈに、全ネジボルトから成るセパレータ４１の一端を挿入し、後施工アンカー４２にて上記セパレータ４１の一端を上記アンカー孔１０Ｈに埋設することによりセパレータ４１を固定する。本例では、上記セパレータ４１として、他端部がＰＣ板２３の固定用孔２３Ｈから所定長さ以上突出するような長さのものを用いる。詳細には、ＰＣ板２３の外側表面にホームタイ等の支保材をセッティングすることができる長さとする。なお、上記セパレータ４１としては、必ずしも全ネジボルトである必要はなく、少なくとも上記固定用孔２３Ｈ近傍（ＰＣ板２３の結合部近傍）と、後述する支保材との連結部分にのみネジ部が形成されていればよい。
なお、上記固定用孔２３Ｈは、ＰＣ板２３の外部表面側から上記コンクリート面１０方向に向かって幅が狭くなるテーパー部２３ａと、このテーパー部２３ａに連通するストレート孔部２３ｂとから成り、このストレート孔部２３ｂの内周側に後述する外ネジパイプを装着するための内ネジ２３Ｐが装着されている。
【００１０】
セパレータ４１の固定が完了すると、図３（ａ）に示すように、上記セパレータ４１に鍔付の環状パイプ（調整パイプ）４３とコイルバネ４４とを順次挿入する。この調整パイプ４３は使用するコイルバネ４４の長さを短くするために挿入されるもので、上記コイルバネ４４の一端は上記調整パイプ４３の鍔部４３ａで規制される。その後、図３（ｂ）に示すように、固定用孔２３Ｈの内周側に装着された内ネジ２３Ｐに、外周に上記内ネジに螺合する外ネジが形成されたパイプ材（外ネジパイプ）２３Ｑを装着して上記コイルバネ４４の他端部に当接させることにより、上記コイルバネ４４を安定に係止する。
次に、図３（ｃ）に示すように、セパレータ４１にワッシャー４５を挿入した後、締結部材であるネジ込み用加工を施した固定ナット４６を上記セパレータ４１に螺入し、上記コイルバネ４４の復元力下において、締付けることによりＰＣ板２３をコンクリート面１０方向に押し付けたり、固定ナット４６を弛めることでＰＣ板２３をコンクリート面１０から遠ざけたりしてＰＣ板２３の外側表面の位置を微調整して、ＰＣ板２３の外側表面の位置が上記ＰＣ板２１，２２や他のＰＣ板２０，２０，‥‥の外側表面とほぼ同じ位置になるように調整する。
【００１１】
次に、図４（ａ）に示すように、上記ＰＣ板２３の外側表面に支保材であるホームタイ（型枠締付用のボルト）４７を取付け、図４（ｂ）に示すように、ＰＣ板２３とコンクリート面１０との間に充填剤５０を注入する裏込め作業を行う。上記充填剤５０としては、モルタル、グラウドなどの各種コンクリート材、あるいはエポキシ系等の樹脂などが用いられる。
本例では、上述したように、セパレータ４１の先端部が固定用孔２３Ｈから突出するようにしているので、このセパレータ４１をホームタイ４７の締付用ボルトとして用いることができる。すなわち、本例では、ナット４７Ｎを上記セパレータ４１に螺入して締付用パイプ４７Ｐを締付けるだけでよいので、ホームタイ４７のセッティングが容易となるだけでなく、セパレータ４１は、その一端がコンクリート面１０のアンカー孔１０Ｈに埋設されているので、ホームタイ４７を安定してセッティングすることができる。
裏込め作業の完了後は、図４（ｃ）に示すように、ホームタイ４７を取り外し、上記セパレータ４１の固定ナット４６よりも上の部分を切断するとともに、固定用孔２３Ｈにモルタル等の充填剤５０を埋め込み、ＰＣ板２３の表面を平滑化して作業を終了する。
【００１２】
このように、本実施の形態によれば、ＰＣ板２３を仮組立後に、上記ＰＣ板２３の固定用孔２３Ｈの位置に合わせて、コンクリート面１０にアンカー孔１０Ｈを削孔し、このアンカー孔１０Ｈにセパレータ４１の一端を挿入・固定するとともに、上記セパレータ４１に調整パイプ４３とコイルバネ４４とを順次挿入した後、固定ナット４６を上記セパレータ４１に螺入して締付けることによりＰＣ板２３の外側表面の位置を微調整するようにしたので、連結用部材であるセパレータ４１とＰＣ板の固定用孔２３Ｈとの間の位置ズレをなくすことができ、複数のＰＣ板を隙間なく、かつ、ＰＣ板の外側表面が平坦面状になるように取付けることができる。
また、セパレータ４１の他端部を固定用孔２３Ｈから所定長さ突出させて、セパレータ４１のＰＣ板外表面側にホームタイ４７を取付け可能としたので、ホームタイを確実に、かつ、容易にセッティングすることができる。
【００１３】
なお、上記実施の形態では、上記セパレータ４１としては、他端部がＰＣ板２３の固定用孔２３Ｈから所定長さ突出したものを用いたが、図５に示すように、ＰＣ板２３の固定孔２３Ｈ近傍までの長さのセパレータ４１Ｎを用いるとともに、固定用孔２３Ｈに挿入される外ネジパイプ２３Ｑに代えて、外ネジ付ナット４１Ｍを用いてセパレータ４１ＮにＰＣ板２３を係止するようにしてもよい。また、ホームタイ４７等の支保材をセッティングする場合には、上記外ネジ付ナット４１Ｍの上記セパレータ４１Ｎとは反対側にホームタイ用の締付用ボルト４７Ｂを挿入すればよい。
また、図６に示すように、コイルバネとして、上部の径が大きなコイルバネ４４Ｇを用いれば、上記内ネジ２３Ｐ及び外ネジパイプ２３Ｑを省略することができ、コストダウンを図ることができる。なお、上記コイルバネ４４Ｇはセパレータ４１の挿入前にＰＣ板２３の裏面側に仮止めするなどしておけばよい。
【００１４】
【発明の効果】
以上説明したように、本発明によれば、複数のＰＣ板を既設構造物の表面に取付ける際に、当該ＰＣ板を先に取付けられたＰＣ板に隣接させて仮組立してから、上記ＰＣ板に設けられた固定用孔に合わせて、上記既設構造物に、ＰＣ板と既設構造物とを連結する連結用部材を固定するためのアンカー孔を削孔し、このアンカー孔に上記連結用部材を挿入・固定した後に、上記連結用部材の、ＰＣ板と既設構造物の表面との間にコイルバネを介在させ、締結部材にて、上記連結用部材を上記固定用孔に係止するとともに、上記締結部材にて締付け調整を行って上記コイルバネを伸縮させ、上記ＰＣ板の外表面の位置を調整するようにしたので、連結用部材とＰＣ板の固定用孔との間の位置ズレをなくすことができるとともに、複数のＰＣ板を確実に平坦面状になるように取付けることができる。
また、上記連結用部材を固定用孔から所定長さ突出させて、上記連結用部材のＰＣ板外表面側に支保材を取付け可能とすることにより、ホームタイ等の支保材を確実に、かつ、容易にセッティングすることができる。
【図面の簡単な説明】
【図１】  本実施の形態に係わるＰＣ板の取付方法を示す図である。
【図２】  本実施の形態に係わるＰＣ板の取付方法を示す図である。
【図３】  本実施の形態に係わるＰＣ板の取付方法を示す図である。
【図４】  本実施の形態に係わるＰＣ板の取付方法を示す図である。
【図５】  本発明によるＰＣ板の取付方法の他の例を示す図である。
【図６】  本発明によるＰＣ板の取付方法の他の例を示す図である。
【図７】  従来のＰＣ板の取付方法を示す図である。
【符号の説明】
１０  コンクリート面、１０Ｈ  アンカー孔、２０，２１，２２，２３  ＰＣ板、２１Ｎ，２２Ｎ  接合用のナット、２３Ｈ  固定用孔、２３Ｋ  連結ボルト挿入孔、２３Ｐ  内ネジ、２３Ｑ  外ネジパイプ、３１Ｍ，３２Ｍ  連結ボルト、４１  セパレータ、４２  後施工アンカー、４３  調整パイプ、４４  コイルバネ、４５  ワッシャー、４６  固定ナット、４７  ホームタイ、５０  充填剤、５１  埋込剤。
【図１】
0003748219.tif 000002
【図２】
0003748219.tif 000003
【図３】
0003748219.tif 000004
【図４】
0003748219.tif 000005
【図５】
0003748219.tif 000006
【図６】
0003748219.tif 000007
【図７】
0003748219.tif 000008